(57)【特許請求の範囲】
【請求項１】
ディジタル放送を受信するテレビジョン受信装置において、
受信しているディジタル放送について、映像規格が画像サイズの縦横比が９対１６の高解像度であるか、画像サイズの縦横比が３対４の低解像度であるかを、映像信号に含まれている画像サイズから判別する映像規格判別手段と、
受信中のディジタル放送の映像規格が高解像度であるときに表示させる映像の表示形態、および低解像度であるときに表示させる映像の表示形態を個別に設定する映像出力設定手段と、
受信しているディジタル放送について、上記映像規格判別手段が判別している映像規格に対して、上記映像出力設定手段が設定する表示形態の映像を表示させる映像信号を出力する出力手段と、を備え、
さらに、上記出力手段は、上記映像規格判別手段により受信しているディジタル放送の映像規格が切り替わったことを検出したとき、受信しているディジタル放送の映像に、映像規格が切り替わったことを示す映像を加えた映像信号を一定時間だけ出力するテレビジョン受信装置。
【請求項２】
ディジタル放送を受信するテレビジョン受信装置において、
受信しているディジタル放送について映像規格が高解像度であるか、低解像度であるかを判別する映像規格判別手段と、
受信中のディジタル放送の映像規格が高解像度であるときに表示させる映像の表示形態、および低解像度であるときに表示させる映像の表示形態を個別に設定する映像出力設定手段と、
受信しているディジタル放送について、上記映像規格判別手段が判別している映像規格に対して、上記映像出力設定手段が設定する表示形態の映像を表示させる映像信号を出力する出力手段と、を備え、
さらに、上記出力手段は、上記映像規格判別手段により受信しているディジタル放送の映像規格が切り替わったことを検出したとき、受信しているディジタル放送の映像に、映像規格が切り替わったことを示す映像を加えた映像信号を出力するテレビジョン受信装置。
【請求項３】
上記出力手段は、受信しているディジタル放送の映像規格が切り替わったことを検出してから、その旨を示す映像信号を一定時間だけ出力する請求項２に記載のテレビジョン受信装置。
【請求項４】
上記高解像度の映像規格は、画像サイズの縦横比が９対１６であり、
上記低解像度の映像規格は、画像サイズの縦横比が３対４である請求項２〜３のいずれかに記載のテレビジョン受信装置。
【請求項５】
上記映像規格判別手段は、受信しているディジタル放送の映像信号に含まれている画像サイズから上記映像規格を判別する手段である請求項２〜４のいずれかに記載のテレビジョン受信装置。
【発明の詳細な説明】
【０００１】
【発明の属する技術分野】
この発明は、ディジタル放送を受信するテレビ受像機等に適用されるテレビジョン受信装置に関する。
【０００２】
【従来の技術】
従来、ディジタル放送を受信するテレビジョン受信装置（以下、単に受信装置と言う。）があった。ディジタル放送の映像規格には、高解像度のＨＤＴＶ（Ｈｉｇｈ  Ｄｅｆｉｎｉｔｉｏｎ  Ｔｅｌｅｖｉｓｉｏｎ）方式と、低解像度のＳＤＴＶ（Ｓｔａｎｄａｒｄ  Ｄｅｆｉｎｉｔｉｏｎ  Ｔｅｌｅｖｉｓｉｏｎ）方式とがある。ＨＤＴＶ方式は有効走査線１０３５本、画像の縦横比 (アスペクト比）９対１６であり、ＳＤＴＶ方式は有効走査線４８３本、画像の縦横比３対４である。
【０００３】
また、ディジタル放送の受信装置には、ＨＤＴＶ方式による映像の両端をカットしたり、予め指定されている領域を拡大して、縦横比３対４の映像として出力させる映像出力設定機能や、ＳＤＴＶ方式による映像の上下をカットして縦横比９対１６の映像として出力させる映像出力設定機能を備えたものがあった（特開平１−１５１８８７号、特開平５−２４４５２５号）。
【０００４】
【発明が解決しようとする課題】
しかしながら、ディジタル放送では同じチャンネルであっても映像規格（ＨＤＴＶ方式、ＳＤＴＶ方式）が時間的に切り替わっていた。例えば、ＳＤＴＶ方式の番組の後にＨＤＴＶ方式の番組が放送されることや、ＨＤＴＶ方式の番組の後にＳＤＴＶ方式の番組が放送されることがあった。
【０００５】
一方、ディジタル放送の受信装置は、受信しているディジタル放送の映像規格が切り替わると、そのときの映像出力設定に応じた映像を出力する。このため、ユーザが受信しているディジタル放送の映像規格が切り替わったことに気づかないことがあった。
【０００６】
例えば、ＨＤＴＶ方式およびＳＤＴＶ方式に対する映像出力設定が、ともに縦横比３対４の映像を出力する設定になっている場合、ディジタル放送の映像規格がＳＤＴＶ方式からＨＤＴＶ方式に切り替わった後も、縦横比３対４の映像が表示され続ける。このため、ユーザはディジタル放送の映像規格が切り替わったことに気づかない。このとき、受信装置は、映像の両端をカットしたり、指定されている映像領域を拡大することで、ＨＤＴＶ方式の映像を縦横比３対４で出力している。したがって、ユーザは全体の映像を見る場合、映像出力設定を変更しなければならない。しかし、ユーザは映像規格が切り替わったことに気づいていないので、映像出力設定の変更操作を行わず、結果的に全体の映像を見逃してしまう。
【０００７】
また、ＨＤＴＶ方式およびＳＤＴＶ方式に対する映像出力設定が、ともに縦横比９対１６の映像を出力する設定になっている場合、ディジタル放送の映像規格がＨＤＴＶ方式からＳＤＴＶ方式に切り替わった後も、縦横比が９対１６の映像が表示され続ける。このため、ユーザはディジタル放送の映像規格が切り替わったことに気づかない。このとき、受信装置は、映像の上下をカットすることで、ＳＤＴＶ方式の映像を縦横比９対１６で出力している。したがって、ユーザは全体の映像を見る場合、映像出力設定を変更しなければならない。しかし、上述の例と同様に、ユーザは映像規格が切り替わったことに気づいていないので、映像出力設定の変更操作を行わず、結果的に全体の映像を見逃してしまう。
【０００８】
このように、従来のディジタル放送の受信装置は受信しているディジタル放送の映像規格が切り替わったことをユーザに確実に気づかせることができなかった。このため、ユーザが映像出力設定の変更操作を適正に行えず、全体の映像を見逃してしまう等の問題があり、操作性が良くなかった。
【０００９】
この発明の目的は、ディジタル放送における映像規格の切り替わりをユーザに確実に気づかせることで、ユーザに映像出力設定の変更操作を適正に行わせることができる操作性の良いテレビジョン受信装置を提供することにある。
【００１０】
【課題を解決するための手段】
この発明のテレビジョン受信装置は、上記課題を解決するために以下の構成を備えている。
【００１１】
（１）ディジタル放送を受信するテレビジョン受信装置において、
受信しているディジタル放送について映像規格が高解像度であるか、低解像度であるかを判別する映像規格判別手段と、
受信中のディジタル放送の映像規格が高解像度であるときに表示させる映像の表示形態、および低解像度であるときに表示させる映像の表示形態を個別に設定する映像出力設定手段と、
受信しているディジタル放送について、上記映像規格判別手段が判別している映像規格に対して、上記映像出力設定手段が設定する表示形態の映像を表示させる映像信号を出力する出力手段と、を備え、
さらに、上記出力手段は、上記映像規格判別手段により受信しているディジタル放送の映像規格が切り替わったことを検出したとき、受信しているディジタル放送の映像に、映像規格が切り替わったことを示す映像を加えた映像信号を出力する。
【００１２】
この構成では、映像規格判別手段により受信しているディジタル放送の映像規格が高解像度または低解像度のどちらであるかが判別される。また、映像出力設定手段において高解像度であるとき、および低解像度であるときに表示させる映像の表示形態が個別に設定され、出力手段が受信しているディジタル放送について、上記映像規格判別手段が判別している映像規格に対して、上記映像出力設定手段が設定する表示形態の映像を表示させる映像信号を出力する。したがって、ディジタル放送信号の映像規格が高解像度から低解像度、または低解像度から高解像度に切り替わったとき、ユーザが映像出力設定の変更操作を行わなくても、切り替わった映像規格に対して予め設定している表示形態で映像が表示されるので、ユーザが全体の映像を見逃すのを防止できるとともに、操作性の向上が図れる。また、ディジタル放送信号の映像規格が切り替わっとき、テレビジョン受信装置本体に接続されている表示装置に映像規格が切り替わったことが表示されるので、ディジタル放送における映像規格の切り替わりをユーザに確実に気づかせることができる。
【００１４】
また、受信しているディジタル放送の映像が途切れることがない。
【００１５】
（２）上記出力手段は、受信しているディジタル放送の映像規格が切り替わったことを検出してから、その旨を示す映像信号を一定時間だけ出力する。
【００１６】
この構成では、ユーザが特別な操作を行わなくても、一定時間後に受信しているディジタル放送の映像のみが表示される。
【００１７】
（３）上記高解像度の映像規格は、画像サイズの縦横比が９対１６であり、
上記低解像度の映像規格は、画像サイズの縦横比が３対４である。
【００１８】
ディジタル放送の映像規格には、有効走査線１０３５本、画面の縦横比 (アスペクト比）９対１６である高解像度のＨＤＴＶ（Ｈｉｇｈ  Ｄｅｆｉｎｉｔｉｏｎ  Ｔｅｌｅｖｉｓｉｏｎ）方式と、有効走査線４８３本、画面の縦横比３対４である低解像度のＳＤＴＶ（Ｓｔａｎｄａｒｄ  Ｄｅｆｉｎｉｔｉｏｎ  Ｔｅｌｅｖｉｓｉｏｎ）方式とがある。
【００１９】
（４）上記映像規格判別手段は、受信しているディジタル放送の映像信号に含まれている画像サイズから上記映像規格を判別する手段である。
【００２０】
この構成では、ディジタル放送の映像信号に含まれている画像サイズから映像規格を判別するので、映像規格を判別するための構成が簡単であり、装置本体のコストを十分に抑えられる。
【００２１】
【発明の実施の形態】
図１は、この発明の実施形態である受信装置の構成を示すブロック図である。この実施形態の受信装置は、ディジタル方式、 例えばＡＴＳＣ（Ａｄｖａｎｃｅｄ  Ｔｅｌｅｖｉｓｉｏｎ  Ｓｔａｎｄａｒｄｓ  Ｃｏｍｍｉｔｅｅ）方式、のテレビジョン放送（以下、単にディジタル放送と言う。）を受信する受信装置である。
【００２２】
制御部２は、受信装置１本体の動作を制御する。受信部３は、アンテナ１０で受信したディジタル放送の中から、選局されているチャンネルで放送されている番組の放送信号を取り出す。なお、受信部３には、多重化されているデータを分離するデ・マルチプレクサや、圧縮されている映像や音声をデコードするデコーダが設けられている。リモコン受信部４は、図示していないリモコン装置から赤外線や電波で送信されてきた制御信号、例えばチャンネル切換信号や、後述する映像出力設定信号、を受信する。出力部５は、受信部３で受信され、デコードされた映像信号および音声信号を出力する。表示装置１１は、出力部５から出力された映像信号に基づく画面（映像）を表示するとともに、音声信号に基づく音声を出力する。操作部６は、チャンネルの切り換え操作や、後述する映像出力設定等を行う際に操作するキーを備えている。
【００２３】
ディジタル放送の映像規格には、公知のように高解像度のＨＤＴＶ（ＨｉｇｈＤｅｆｉｎｉｔｉｏｎ  Ｔｅｌｅｖｉｓｉｏｎ）方式と、低解像度のＳＤＴＶ（Ｓｔａｎｄａｒｄ  Ｄｅｆｉｎｉｔｉｏｎ  Ｔｅｌｅｖｉｓｉｏｎ）方式とがある。ＨＤＴＶ方式は有効走査線１０３５本、画面の縦横比 (アスペクト比）９対１６であり、ＳＤＴＶ方式は有効走査線４８３本、画面の縦横比３対４である。
【００２４】
この実施形態の受信装置１は、ディジタル放送の映像規格がＨＤＴＶ方式であるとき、表示装置１１において表示される映像を図２（Ａ）、（Ｂ）、（Ｃ）に示すいずれかに設定する映像出力設定機能を備えている。図２（Ａ）は、受信しているディジタル放送の映像全体を縦横比９対１６で表示させる映像出力設定であるときの画面の表示例である。図２（Ｂ）は、受信しているディジタル放送の映像の両端をカットし、縦横比３対４の映像を表示させる映像出力設定であるときの画面の表示例である。図２（Ｃ）は図２（Ａ）において破線で囲んだ領域を拡大し、縦横比３対４の映像を表示させる映像出力設定であるときの画面の表示例である。
【００２５】
なお、映像出力設定が図２（Ａ）に示す映像を表示させる設定であるとき、図中に示す破線が表示されることはない。この破線は図２（Ｃ）に示す映像を表示させる映像出力設定の説明のために記載したものである。また、図２（Ｃ）に示す映像を表示させる映像出力設定では、ユーザが拡大する領域（図２（Ａ）において破線で囲んだ領域）を自由に設定できる。
【００２６】
また、この実施形態の受信装置１は、ディジタル放送の映像規格がＳＤＴＶ方式であるとき、表示装置１１における映像の表示を図３（Ａ）、（Ｂ）に示すどちらかに設定する映像出力設定機能を備えている。図３（Ａ）は、受信しているディジタル放送の映像全体を縦横比３対４で表示させる映像出力設定であるときの画面の表示例である。図３（Ｂ）は、受信しているディジタル放送の映像の上下をカットし、縦横比９対１６の映像を表示させる映像出力設定であるときの画面の表示例である。
【００２７】
なお、受信装置１が、受信した映像信号を、受信しているディジタル放送の映像規格に対して設定されている映像出力設定に応じた映像を表示させる映像信号に変換し、出力部５から出力する。
【００２８】
また、受信装置１は、ＨＤＴＶ方式の受信時における映像出力設定と、ＳＤＴＶ方式の受信時における映像出力設定とを個別に設定できる。制御部２には、ＨＤＴＶ方式の受信時における映像出力設定と、ＳＤＴＶ方式の受信時における映像出力設定とを記憶する記憶部として不揮発性メモリが設けられている。上記映像出力設定は、操作部６または図示していないリモコン装置における所定の入力操作で行える。
【００２９】
以下、この実施形態の受信装置１の動作について説明する。図４は、この実施形態の受信装置の動作を示すフローチャートである。なお、操作部６または図示していないリモコン装置において、チャンネルの切り換え操作や、映像出力設定の変更操作等が行われたときには、割り込み処理により実行される。
【００３０】
受信装置１は、受信部３において選局されているチャンネルのディジタル放送（映像信号、および音声信号）を受信する受信処理を行う（ｓ１）。このとき、受信部３はデ・マルチプレクサで多重化されているデータを分離し、デコーダで圧縮されている映像信号、および音声信号をデコードする。ｓ１にかかるディジタル放送の受信処理については、公知であるのでここでは説明を省略する。
【００３１】
受信装置１はｓ１で取り出した映像信号から画像サイズを取得し（ｓ２）、受信しているディジタル放送の映像規格がＨＤＴＶ方式であるか、ＳＤＴＶ方式であるかを判別する（ｓ３）。
【００３２】
公知のように、ディジタル放送の映像信号には画像サイズを示すデータが含まれている。ｓ２は、この画像サイズを示すデータを取得する処理である。また、ｓ３はｓ２で取得した画像サイズの縦横比が９対１６であればＨＤＴＶ方式であると判別し、３対４であればＳＤＴＶ方式であると判別する処理である。このように、受信しているディジタル放送の映像規格を判別するための構成が簡単であり、装置本体のコストを十分に抑えられる。
【００３３】
次に、受信装置１は受信しているディジタル放送の映像規格が切り替わったかどうかを判定する（ｓ４）。ｓ４では、前回の判別結果と今回の判別結果とを比較して、映像規格が切り替わったかどうかを判定する。ｓ４で、映像規格が切り替わっていないと判定すると、前回映像規格が切り替わったと判定してから予め設定されている時間（数秒）経過しているかどうかを判定する（ｓ５）。ｓ５で一定時間経過していると判定すると、ｓ１で受信した映像信号をｓ３で判別した映像規格に対して設定されている映像出力設定に応じた映像信号に変換する（ｓ６）。ｓ６で変換した映像信号およびｓ１で受信した音声信号を出力部５から出力し（ｓ７）、ｓ１に戻る。
【００３４】
したがって、ディジタル放送の映像規格が切り替わってから一定時間経過しているとき、表示装置１１では、ｓ１で受信したディジタル放送の映像規格に対して設定されている映像出力設定に応じて、図２（Ａ）、（Ｂ）、（Ｃ）または図３（Ａ）、（Ｂ）に示したいずれかの表示形態で、ｓ１で受信したディジタル放送の映像が表示される。
【００３５】
一方、ｓ４で映像規格が切り替わったと判定した場合、またはｓ５で一定時間経過していないと判定した場合、ｓ１で受信した映像信号をｓ３で判別した映像規格に対して設定されている映像出力設定に応じた映像信号に変換する（ｓ８）。このｓ８にかかる処理は、上記ｓ６にかかる処理と同じである。受信装置１は、さらにｓ３で判別した映像規格を表示させるための映像信号をｓ８で得た映像信号に加える（ｓ９）。そして、ｓ９で得た映像信号およびｓ１で受信した音声信号を出力部５から出力し（ｓ１０）、ｓ１に戻る。
【００３６】
ディジタル放送の映像規格が切り替わったとき、またはディジタル放送の映像規格が切り替わってから一定時間経過していないとき、表示装置１１では、ｓ１で受信したディジタル放送の映像規格に対して設定されている映像出力設定に応じて、図５（Ａ）、（Ｂ）、（Ｃ）または図６（Ａ）、（Ｂ）に示したいずれかの表示形態で、ｓ１で受信したディジタル放送の映像が表示される。
【００３７】
図５は映像規格がＳＤＴＶ方式からＨＤＴＶ方式に切り替わってから一定時間経過していないときの表示例である。図５（Ａ）は、全体の映像を縦横比９対１６で表示させる映像出力設定であるときの画面の表示例である。図５（Ｂ）は、映像の両端をカットし、表示装置１１の画面一杯に縦横比３対４の映像を表示させる映像出力設定であるときの画面の表示例である。図５（Ｃ）は図５（Ａ）において破線で囲んだ領域を拡大し、表示装置１１の画面一杯に縦横比３対４の映像を表示させる映像出力設定であるときの画面の表示例である。
【００３８】
また、図６は映像規格がＨＤＴＶ方式からＳＤＴＶ方式に切り替わってから一定時間経過していないときの表示例である。図６（Ａ）は、全体の映像を縦横比３対４で表示させる映像出力設定であるときの画面の表示例である。図６（Ｂ）は、映像の上下をカットし、縦横比９対１６の映像を表示させる映像出力設定であるときの画面の表示例である。
【００３９】
図５および図６に示すように、この実施形態の受信装置１は受信しているディジタル放送の映像規格が切り替わってから一定時間経過するまで、そのときの映像出力設定に関係なく、表示装置１１の画面右上に切り替わった映像規格を表示させる映像信号を出力する。これにより、ディジタル放送の映像規格が切り替わったことを、ユーザに確実に気づかせることができる。また、受信しているディジタル放送の映像が途切れることもない。したがって、ユーザに映像出力設定の変更操作を適正に行わせることができ、ユーザが全体の映像を見逃す等の問題がおきることもなく、操作性が向上できる。
【００４０】
また、表示装置１１において切り替わった映像規格を表示させるようにしたので、映像規格がＨＤＴＶ方式、またはＳＤＴＶ方式のどちらに切り替わったのかをユーザに正確に認識させることができる。
【００４１】
さらに、ディジタル放送の映像規格が切り替わってから一定時間経過すると、通常の表示（図２または図３に示す表示形態）に戻る。したがって、ユーザは表示を戻すために特別な操作を行わせなくてもよいので、操作性を低下させることがない。
【００４２】
なお、上記実施形態では、受信しているディジタル放送の映像規格が切り替わったときに、一定時間だけ切り替わった映像規格を表示させるとしたが、受信チャンネルの切り換え操作が行われたとき、装置本体の動作電源がオンされたとき等にも、受信しているディジタル放送の映像規格を一定時間だけ表示させるようにしてもよい。
【００４３】
以上のように、この発明によれば、受信しているディジタル放送の映像規格が切り替わったことを、ユーザに確実に気づかせることができる。また、映像規格毎に、映像の表示形態が設定できるので、映像規格が切り替わっても自動的にその映像規格について設定した表示形態で映像が表示されるので、ユーザが全体の映像を見逃すのを防止できるとともに、操作性の向上が図れる。
【００４４】
また、受信しているディジタル放送の映像が途切れることがない。
【００４５】
また、受信しているディジタル放送の映像規格が切り替わってから一定時間経過すると通常の表示に戻すようにしたので、ユーザが表示を戻すために特別な操作を行わせなくてもよい。したがって、操作性を低下させることもない。
【００４６】
さらに、ディジタル放送の映像信号に含まれている画像サイズから映像規格を判別するようにしたので、映像規格を判別するための構成が簡単であり、装置本体のコストが十分に抑えられる。
【図面の簡単な説明】
【図１】この発明の実施形態である受信装置の構成を示すブロック図である。
【図２】この発明の実施形態である受信装置に接続された表示装置で表示される映像の表示例を示す図である。
【図３】この発明の実施形態である受信装置に接続された表示装置で表示される映像の表示例を示す図である。
【図４】この発明の実施形態である受信装置の動作を示すフローチャートである。
【図５】この発明の実施形態である受信装置に接続された表示装置で表示される映像の表示例を示す図である。
【図６】この発明の実施形態である受信装置に接続された表示装置で表示される映像の表示例を示す図である。
【符号の説明】
１−受信装置
２−制御部
３−受信部
４−リモコン受信部
５−出力部
６−操作部
１０アンテナ
１１−表示装置
【図１】
0003671861.tif 000002
【図２】
0003671861.tif 000003
【図３】
0003671861.tif 000004
【図４】
0003671861.tif 000005
【図５】
0003671861.tif 000006
【図６】
0003671861.tif 000007